(57)【特許請求の範囲】
【請求項１】
座席の両側に配置される１対の手摺の前方端間を連結するように取り付けられる、乳母車の胴ガードの取付け構造であって、
１対の前記手摺の各前方端には、側面に係合凹部が形成された突起がそれぞれ設けられ、
前記突起は断面円形であり、前記係合凹部は前記突起の周面を周回するように形成され、
前記胴ガードは、その中央部において、折り曲げ可能であり、かつ、その各端において、前記突起を着脱可能に受け入れる筒状の端部を有し、
前記端部内には、前記突起を取り囲むリング状係止具が前記突起の側面に対して交差する方向に移動可能に設けられ、
前記リング状係止具は、その移動の一方終端において前記係合凹部に係合し、かつその移動の他方終端において前記係合凹部から脱出するように構成されるとともに、前記一方終端へ移動するように弾性体により付勢され、
前記リング状係止具には、前記弾性体による付勢に抗して、これを前記一方終端から前記他方終端へ移動操作するための操作部が前記端部から露出するように設けられ、
前記突起は、前記手摺に対して突出した状態と引っ込んだ状態とを選択的にとるように設けられ、
前記突起を前記手摺に対して突出する状態に付勢するための第２の弾性体、および前記第２の弾性体による付勢に抗して前記突起を前記引っ込んだ状態に係合して維持しかつ係合解除が手動操作可能な係合部材をさらに備える、
乳母車の胴ガードの取付け構造。
【請求項２】
前記操作部は、前記胴ガードの前方側ないし下方側に位置している、請求項１に記載の乳母車の胴ガードの取付け構造。
【発明の詳細な説明】
【０００１】
【発明の属する技術分野】
この発明は、乳母車の座席に関連して設けられる胴ガードの取付け構造に関するもので、特に、胴ガードを着脱可能とする取付け構造に関するものである。
【０００２】
【従来の技術】
乳母車には、多くの場合、その座席の両側に配置される１対の手摺の前方端間を連結するように、胴ガードが設けられている。特に、乳母車に乗せられる乳幼児が小さい場合、胴ガードを設けて、乳幼児の胴まわりを保護することが推奨される。
【０００３】
胴ガードは、通常、手摺に対して着脱可能に取り付けられていて、乳幼児が成長して大きくなったときには、取り外せるように構成されている。このように着脱可能とされた胴ガードが、たとえば、特公昭５８−３２０６８号公報に記載されている。
【０００４】
この特公昭５８−３２０６８号公報に記載された胴ガードは、これを手摺に取り付けるためにピンが用いられ、胴ガードと手摺とを貫通するようにピンを挿入することにより、胴ガードの取付け状態が得られ、他方、ピンを抜くことにより、胴ガードが手摺から取り外されるように構成されている。
【０００５】
【発明が解決しようとする課題】
しかしながら、上述した従来の胴ガードは、これを取り外すにあたり、ピンを抜く操作が比較的面倒であり、また、これを取り付けるに際しても、ピンを挿入する操作が比較的面倒である。もっとも、乳幼児の成長に合わせて、今まで使用していた胴ガードを取り外す場合には、そのための操作がたとえ面倒であっても、取外しおよび取付けの頻度がそれほど高くないので、ほとんど問題となることはない。
【０００６】
これに対して、乳母車の座席に乳幼児を乗せ降ろしするときには、胴ガードを取り外した状態としておく方が容易にこれを行なえるので、胴ガードの着脱可能な構成は、このように乳幼児を乗せ降ろしするときに取り外し、その後に、再び取り付けるようにするために用いられることもある。この場合には、特に、胴ガードの取付けおよび取外しを楽に行なえることが望まれる。
【０００７】
そこで、この発明の目的は、取付けおよび取外し操作の楽な乳母車の胴ガードの取付け構造を提供しようとすることである。
【０００８】
【課題を解決するための手段】
この発明は、座席の両側に配置される１対の手摺の前方端間を連結するように取り付けられる、乳母車の胴ガードの取付け構造に向けられるものであって、上述した技術的課題を解決するため、次のような構成を備えることを特徴としている。
【０００９】
すなわち、この発明では、１対の手摺の各前方端には、側面に係合凹部が形成された突起がそれぞれ設けられる。この突起は断面円形であり、係合凹部がこの突起の周面を周回するように形成されている。他方、胴ガードは、その中央部において、折り曲げ可能であり、かつ、その各端において、上述の突起を着脱可能に受け入れる筒状の端部を有する構造とされる。この端部内には、突起を取り囲むリング状係止具が突起の側面に対して交差する方向に移動可能に設けられる。このリング状係止具は、その移動の一方終端において係合凹部に係合し、かつその移動の他方終端において係合凹部から脱出するように構成されるとともに、前記一方終端へ移動するように弾性体により付勢される。さらに、リング状係止具には、弾性体による付勢に抗して、これを前記一方終端から前記他方終端へ移動操作するための操作部が胴ガードの端部から露出するように設けられている。
【００１０】
さらに、この発明では、突起は、手摺に対して突出した状態と引っ込んだ状態とを選択的にとるように設けられる。そして、突起を手摺に対して突出する状態に付勢するための第２の弾性体、および第２の弾性体による付勢に抗して突起を引っ込んだ状態に係合して維持しかつ係合解除が手動操作可能な係合部材がさらに設けられる。
【００１１】
【発明の効果】
この発明によれば、胴ガードの端部から露出する操作部を操作して、リング状係止具を弾性体による付勢に抗して移動させることにより、これが係合凹部から脱出し、胴ガードを手摺から取り外すことができる状態となる。他方、リング状係止具を弾性体による付勢に抗して移動させながら、胴ガードの端部内に突起を受け入れ、リング状係止具を係合凹部に係合させれば、胴ガードの取付け状態を得ることができる。
【００１２】
このように、胴ガードの着脱のための操作は簡単であり、胴ガードの着脱を迅速に行なうことができる。したがって、頻繁にこの操作を繰り返すことも問題なく行なえ、たとえば、胴ガードを取り外すことによって、座席の前方が開放され、乳幼児を容易に乗せ降ろしすることができるようになる。
【００１３】
また、突起が断面円形であり、係合凹部がこの突起の周面を周回するように形成されているため、リング状係止具が係合凹部に係合したまま、胴ガードの端部が突起を中心として、回転することが可能となるので、上述のように胴ガードを取り外すことを胴ガードの一方の端部においてのみ行なえば、他方の端部側の突起を中心として、胴ガードを回転させ、座席の前方を開放した状態とすることができる。乳幼児を乗せ降ろしを容易にするためには、この状態で足りるので、胴ガードの着脱のための手間をより簡素化することができる。
【００１４】
上述のような構成は、また、乳母車が折り畳み式であり、折り畳み動作時において、１対の手摺の間隔が変更される場合には、このような折り畳み動作を許容するようにも機能する。すなわち、このような態様の折り畳み動作を行なう乳母車では、１対の手摺の間隔の変更を許容するため、通常、胴ガードがその中央部において折り曲げ可能とされるが、この場合、胴ガードの折り曲げを可能とするには、胴ガードの端部が手摺に対して回転可能でなければならない。この構成によれば、胴ガードの端部が手摺に対して回転可能であるので、胴ガードを取り付けたままであっても、乳母車の折り畳み動作が胴ガードによって妨げられることはない。
【００１５】
また、突起は、手摺に対して突出した状態と引っ込んだ状態とを選択的にとるように設けられるので、胴ガードを取り外した状態において、突起が手摺から突出する不都合を回避できる。すなわち、突起が手摺から突出するとき、ここに触れた乳幼児に対して、不快感を及ぼすばかりでなく、傷害の問題を引き起こすこともあり得るが、これらの問題は、胴ガードを取り外した状態において、突起を引っ込んだ状態としておくことで回避できる。
【００１６】
また、上述のように、突起が突出した状態と引っ込んだ状態とを選択的にとるようにされながら、第２の弾性体により、突起を手摺に対して突出する状態に付勢するとともに、第２の弾性体による付勢に抗して突起を引っ込んだ状態に係合して維持しかつ係合解除が手動操作可能な係合部材を設けているので、突起を突出した状態にしたり、引っ込んだ状態にしたりすることを簡易かつ迅速に行なえるようになる。すなわち、突出する突起を第２の弾性体による付勢に抗して引っ込め、係合部材を係合させるだけで、引っ込んだ状態が維持され、他方、係合部材による係合を解除するだけで、第２の弾性体による付勢により、自動的に突起の突出した状態が得られる。
【００１７】
【発明の実施の形態】
図１は、この発明の一実施形態による胴ガードの取付け構造が適用された乳母車の全体の外観を示す斜視図である。ここに示した乳母車１は、座席２を備え、この座席２の両側には、１対の手摺３および４が配置されている。これら手摺３および４の各前方端間を連結するように、胴ガード５が取り付けられている。
【００１８】
胴ガード５の、一方の手摺３への取付け部分の詳細が、図２に一部破断側面図によって示されている。図３は、図２の線ＩＩＩ  −ＩＩＩ  に沿う断面図である。また、図４は、図２に相当する図であって、図１とは異なる状態を示し、図５は、図４の線Ｖ−Ｖに沿う断面図である。また、図６は、胴ガード５が取り外された後の手摺３を示す、図２に相当の図である。なお、胴ガード５自身および手摺３および４は、左右対称の構造を有していて、図示しない胴ガード５の、他方の手摺４への取付け構造は、図示した手摺３への取付け構造と同様であるので、以下の説明は、胴ガード５の、手摺３に対する取付け部分について行ない、他方の手摺４に対する取付け部分についての説明は省略する。
【００１９】
手摺３の前方端には、突起６が設けられる。突起６の側面には、係合凹部７が形成される。この実施形態では、突起６は断面円形とされ、係合凹部７は突起６の周面を周回するように形成されている。
【００２０】
また、突起６は、たとえば図２に示すように、手摺３に対して突出した状態と、図６に示すように、手摺３に対して引っ込んだ状態とを選択的にとるように構成されていることが好ましい。そのため、突起６は、手摺３に形成された筒状部８内で移動可能に案内され、その突出状態の終端は、図２等に示すように、突起６の基部に形成されたフランジ９が筒状部８の端面に係合することによって規定される。他方、突起６の引っ込んだ状態の終端は、図６に示すように、手摺３に取り付けられた保持台１０に当接することによって規定される。
【００２１】
上述のように、突起６が突出した状態と引っ込んだ状態とをとるように構成される場合、より好ましくは、突起６は、手摺３に対して突出する状態になるように、弾性体としてのコイルばね１１により付勢され、他方、引っ込んだ状態に維持するため、前述したフランジ９に係合するフック状の係合部材１２が設けられる。この係合部材１２は、係合およびその解除を許容するため、弾性的に変形可能である。これらコイルばね１１および係合部材１２は、前述した保持台１０によって保持されている。
【００２２】
他方、胴ガード５は、突起６を着脱可能に受け入れる筒状の端部１３を有する。この端部１３内には、突起６を取り囲むリング状係止具１４が配置される。このリング状係止具１４は、突起６の側面に対して交差する方向、たとえばこの実施形態では直交する方向に移動可能に設けられる。このようにして、リング状係止具１４は、その移動の一方終端において、図２および図３に示すように、係合凹部７に係合し、その移動の他方終端において、図４および図５に示すように、係合凹部７から脱出するように構成されている。
【００２３】
また、リング状係止具１４は、上述の一方終端へ移動するように、弾性体としての板ばね１５により付勢されている。板ばね１５は、たとえば、筒状の端部１３の内周面とリング状係止具１４との間に配置される。また、板ばね１５によるリング状係止具１４の移動の終端を規定するため、リング状係止具１４には、筒状の端部１３の内周面に係合する係止片１６が形成されている。
【００２４】
また、リング状係止具１４には、板ばね１５による付勢に抗して、これを一方終端から他方終端へ移動操作するための操作部１７が端部１３から露出するように設けられている。この実施形態では、操作部１７は、端部１３から突出するように設けられ、操作部１７を押し込むことにより、リング状係止具１４を移動させることができる。なお、操作部１７は、胴ガード５の前方側ないし下方側に位置していて、乳幼児が不用意に触れないように配慮されていることに注目すべきである。
【００２５】
このような構成において、図１ないし図３に示すように、胴ガード５が手摺３および４に取り付けられた状態から、これを取り外すには、次のように操作される。すなわち、操作部１７を押し込み、図４および図５に示すように、リング状係止具１４を係合凹部７から脱出させた状態とする。この状態で、端部１３を引き上げれば、突起６が端部１３から抜け、端部１３と手摺３とを互いに分離することができる。
【００２６】
上述の操作は、両方の手摺３および４に対して行なわれても、あるいは片方の手摺、たとえば手摺３のみに対して行なわれてもよい。
【００２７】
両方の手摺３および４に対して、この操作が行なわれた場合には、胴ガード５は、手摺３および４から完全に分離することができる。この状態にして、乳幼児の乗せ降ろしが行なわれてもよいが、通常、乳幼児が成長して、胴ガード５が不要となったときに、この状態にされるのが好ましい。
【００２８】
このように、胴ガード５が手摺３および４から完全に分離されたとき、図６に示すように、突起６が押し込まれることが好ましい。突起６が押し込まれたとき、係合部材１２は、その途中でフランジ９との接触によって変形し、最終的にフランジ９に係合する。これによって、コイルばね１１による付勢にもかかわらず、突起６の引っ込んだ状態が維持される。
【００２９】
逆に、突起６を突出させた状態にするには、手摺３の下方から指等を挿入し、係合部材１２を変形させ、フランジ９との係合を解けばよい。これに応じて、突起６は、コイルばね１１の作用により、直ちに突出した状態に戻される。
【００３０】
このように、突起６が突出した状態において、図４および図５に示すように、操作部１７を押し込みながら、端部１３内に突起６を受け入れる状態に、胴ガード５を手摺３および４に対して位置決めした後、操作部１７を押し込んでいる力を除けば、図１ないし図３に示すように、胴ガード５を手摺３および４に取り付けた状態に再びすることができる。
【００３１】
胴ガード５は、前述したように、手摺３および４から完全に分離するのではなく、その一方の端部、たとえば端部１３のみを手摺３から取り外すだけで、乳幼児の乗せ降ろしを行なうようにする方がより能率的である。すなわち、突起６が断面円形であり、かつ係合凹部７が突起６の周面を周回するように形成されているため、端部１３のみを手摺３から取り外すだけで、胴ガード５は他方の手摺４に対して回転可能な状態になり、この回転に従って、座席２の前方を開放した状態にすれば、乳幼児を容易に乗せ降ろしすることができる。
【図面の簡単な説明】
【図１】この発明の一実施形態による胴ガードの取付け構造が適用された乳母車１の全体の外観を示す斜視図である。
【図２】図１に示した乳母車１における一方の手摺３への胴ガード５の取付け部分を拡大して示す一部破断側面図である。
【図３】図２の線ＩＩＩ  −ＩＩＩ  に沿う断面図である。
【図４】操作部１７を押し込んだ状態にある、手摺３への胴ガード５の取付け部分を示す、図２に相当の図である。
【図５】図４の線Ｖ−Ｖに沿う断面図である。
【図６】胴ガード５を取り外した後の手摺３を示す、図２に相当の図である。
【符号の説明】
１  乳母車
２  座席
３，４  手摺
５  胴ガード
６  突起
７  係合凹部
１１  コイルばね
１２  係合部材
１３  端部
１４  リング状係止具
１５  板ばね
１７  操作部
【図１】
0003573555.tif 000002
【図２】
0003573555.tif 000003
【図３】
0003573555.tif 000004
【図４】
0003573555.tif 000005
【図５】
0003573555.tif 000006
【図６】
0003573555.tif 000007